(57)【要約】      （修正有）【課題】ひび割れ、破損がなく、長波長の遠赤外線を放射する放射板を提供する。【解決手段】金属板１０に遠赤外線を最も効率よく放射する鉱石の微粉末を粉体塗装粉に混合して塗装、高温焼付けをすると表面は細粒の粗目上に仕上げ、裏面にゲルマヒーター１１と称される面状発熱帯を接着し、１００〜２００Ｖ（ボルト）の電気を通電して１７０℃〜２００℃に昇温すると、６〜８μｍ（ミクロン）の長波長の遠赤外線を放射して、人体等の対象物を加温することができる。【選択図】図４
2009152163.tif 000002
【特許請求の範囲】
【請求項１】
この発明の加温装置の構造は、人体の表皮に最も良く吸収されやすい６〜８μｍ（ミクロン）の長波長遠赤外線を放射する金属製放射板を有する、この放射板の表面温度を他の面状発熱体では不可能な温度である、１７０℃〜２００℃に保つ時該長波長の遠赤外線が実験上最も効率良く放射されるので、この金属製放射板を昇温させる為に裏面にゲルマヒーターと称される面状発熱帯を貼り付け、１００〜２００Ｖ（ボルト）の電圧を加え電流を流す。この裏面に貼り付けるゲルマヒーターと称される面状発熱帯はダイオードやトランジスターのような半導体でこの半導体に通電した時に発生する熱排出を利用して高効率の熱出力が得られる。一般的に通常のカーボン面状発熱体の温度上昇の限界は７０℃〜８０℃である。  この金属板裏面にゲルマヒーターを貼り付けて昇温させる構造の放射板。
【請求項２】
金属製放射板の表面は金属だけでは、長波長遠赤外線の放射率が鉱石ほど良くないので、鉱石の微粉末を耐熱塗料に混合して塗布すると表面は鉱石の粉末が粗目状に付着した状態で加温され理想的な遠赤外線を放射する金属放射板となる。またこの金属製放射板は平面状の発熱体である事から放射角度を広くさせる為ゴルフボールの表面のようにリインプル加工し平板からの放射角度を大きくして拡散放射する事を特徴とするこの金属板の表面加工処理（塗装）等の全て。
【請求項３】
温度が２００℃に上昇する面状発熱帯を包み込み、金属板に貼り付けるには、耐熱性と電気絶縁性が良くなければならない
２５０℃以上の高温に耐え、しかも電気的絶縁性が良く熱膨張係数が極めて低い樹脂としてＰＡＩ（ポリアミドイミド）樹脂素材以外には考えられないのでこの樹脂を使用している、金属製放射板に両面テープで貼り付けるが、このテープの接着剤も耐熱、熱硬化形を使用している。この発熱帯組立の構造及び金属製遠赤外線放射板発熱体。
【発明の詳細な説明】
【技術分野】
【０００１】  この発明の加温装置は長方形の金属製平板形放射体で裏面に接着されたゲルマヒーターと称される面状発熱帯に１００〜２００Ｖ（ボルト）の電気を通電して１７０℃〜２００℃に昇温させ６〜８μｍ（ミクロン）の長波長の遠赤外線を放射して、人体等の対象物を加温する、図１に示す形状をしていて主に遠赤外線放射（輻射）暖房機として使用される、
ゲルマヒーターは非特許文献１としてホームページに開示されている、
【非特許文献１】  日本ゲルマヒーター社  ホームページ  平成１７年７月１１日  この面状発熱帯は自己制御性をもち、安定した加温状態を保つ優れた面状発熱帯とされている、  金属製平板放射体であるが一般的に金属は鉱石ほど放射効率がよくない、と言われているので効率良く遠赤外線を放射するように鉱石の微粉末を耐熱塗料に混合して、ゴルフボールの表面の様にリンプル加工された金属板上に塗布（粉体塗装）して拡散放射と高効率で遠赤外線を放射する加温装置である事を特徴とする。
【背景技術】
【０００２】  従来類似形状の  グラスヒート  と呼ばれる平板形遠赤外線放射加温装置として特許文献１に開示されている暖房機がある、
【特許文献１】  特許第２９８７３５４号  公報  このグラスヒートは耐熱強化ガラス発熱体であり発熱体以外の構造は近似している、他にアルミニュウム板でシーズヒータを挟み込んだ発熱体も存在し、いずれもその構造は近似しているが今回発明の物とは異なっている。
【発明の開示】
【発明が解決しようとする課題】
【０００３】    従来のガラス発熱体を用いた遠赤外線暖房機は１６０℃で６〜８μｍ（ミクロン）の遠赤外線を効率良く放射する良好な発熱体であり長期の使用でもガラスは金属の様に錆び等の発生も変化も無く長所も多くあるが、基本素材がガラスである事から、ひび割れ、破損すると言う欠点がある、特に１６０℃と言う温度域では耐熱強化ガラスでも、ひび割れ、破損する事稀にある等、拭い難い欠点があった、該ガラス発熱体と同程度又はそれ以上の遠赤外線放射効率の良い発熱体で破損等の危険が全く無い物が出来ないか、と言う課題がある、アルミ形材でシーズヒーターを挟み込んだ構造の遠赤外線放射暖房機もあるが、アルミ材は２００℃近くに面体温度を上昇させてもガラスに比べ、放射効率が悪く、温度の均一性でもシーズヒーターはガラス発熱体に大きく劣る、これ等の問題を解決する事を課題とする。
【課題を解決するための手段】
【０００４】  この課題を解決する為の請求項１の発明は、図４の１０の金属板の裏面に耐熱熱硬化形両面テープで図４の１１のゲルマヒーターと称される半導体面状発熱帯を貼りつける、この面状発熱帯の片端には図４の１２の様にリード線が装着されていて内部配線に接続出来１００〜２００Ｖ（ボルト）の電気を通電する事が出来る、ゲルマヒーターは電力効率も良く、面状発熱帯としては異例で２００℃以上の温度にも上昇可能な為課題を解決す事が出来る。【０００５】  また請求項２の発明は、金属板の表面から放射される遠赤外線の放射量はガラスに比べ大きく劣る、この計測結果等解析された文献として佐々木久夫著遠赤外線の時代（人間と歴史社出版）がある、文献によると金属板であっても表面を加工処理すればガラス素材以上の放射効率が得られるとあり、実験によっても体感上同じ結果がえられる、加工処理は遠赤外線を最も効率よく放射する鉱石の微粉末を粉体塗装粉に混合して塗装、高温焼付けをすると表面は細粒の粗目上に仕上がる、この状態でもガラス素材と同等以上の遠赤外線放射効率があるが、遠赤外線は直進する性質があるので該加温装置図１のように長方形の平板から被放射体に放射する時受熱範囲が狭く非効率である為放射角度を広くする目的で予め平板をゴルフボールの表面のようにリンプル加工後塗布し平板から拡散放射する遠赤外線の受熱範囲が広く効率の良い平板放射体である事を特徴とする。【０００６】  また請求項３の発明は、ゲルマヒーターと称される半導体発熱帯であるが１８０℃〜２００℃の温度帯域で長期間使用されることが前提の加温装置であるから、この発熱帯を周包する素材としての条件は、電気絶縁性が良い、２５０℃の温度域に長期間耐える事、熱膨張係数が低い事、接着性が良い、防水加工性が良い事等があげられ、これ等の条件を全て満足する樹脂として、ＰＡＩ（ポリアミドイミド）系樹脂を選択して、このＰＡＩで周包された発熱帯を金属板に耐熱、熱硬化形両テープで接着し長期間剥れたり、絶縁不良になる事無く安定した温度で効率よく遠赤外線を放射出来る金属板放射体である事を特徴とする。
【発明の効果】
【０００７】  この発明により該加温装置は全ての場所、居室、等ガラス素材では適切では無かったプールサイド、採暖室、浴場、機械浴室、サウナ室、岩盤浴場、高温乾燥室等天井コーナー、壁の設置、取付場所を選ばなくてよく、長期間安定した遠赤外線放射加温装置となる。
【実施例１】
【０００８】    該加温装置は主として浴室、特に特別養護老人施設の機械浴室の洗い場等に利用されるお年寄りの人の加温（暖房）に共される事が考えられる、この浴室の天井、天井と壁のコーナーに斜傾に取付暖をとる、特に老人は気温の急な変化で養護事故を起こすことがあるのでこの加温装置は極めて重要である、プール、サウナ採暖室の加温にも最適で空気を暖めず直接人や物を暖める事が出来るので大きな省エネルギーとなる、また寒冷地では便所、流し場、洗濯場等の水場と言われる場所の凍結防止にも最適で水の通る管や器具その物を加温するのでこれも大きな省エネルギーになり、利用される場所は飛躍的に増大すると推測される。
【図面の簡単な説明】
【０００９】
【図１】遠赤外線を放射する平板形加温装置の平面図である。
【図２】遠赤外線を放射する平板形加温装置の正面図である。
【図３】遠赤外線を放射する平板形加温装置の側面図である。
【図４】金属製平板に面状発熱帯（ゲルマヒーター）を貼り付ける説明図である。
【図５】金属製平板発熱体に緩衝材を取付反射板上に乗せた図である。
【図６】遠赤外線を放射する平板形加温装置の上側断面図である
【符号の説明】
【００１０】１．  遠赤外線を放射する平板形加温装置本体
２．  ケーシング右蓋
３．  ケーシング左蓋
４．  通電表示ランプ
５．  ケーシング上部
６．  保護ガード
７．  反射板
８．  加熱防止装置
９．  ケーシング底板
１０．金属製平板
１１．面状発熱帯（ゲルマヒーター）
１２．面状発熱帯（ゲルマヒーター）通電リード線
１４．耐熱緩衝材
１５．金属製発熱体固定金具
１６．金属製発熱体固定受金具
１７．金属製発熱体固定左右固定ケース
【図１】
2009152163.tif 000003
【図２】
2009152163.tif 000004
【図３】
2009152163.tif 000005
【図４】
2009152163.tif 000006
【図５】
2009152163.tif 000007
【図６】
2009152163.tif 000008